(57)【要約】【課題】無菌病室ユニットにおいて、ベッド位置の空気清浄度を確保し、騒音を低減する。【解決手段】複数の圧力室が形成されたチャンバを備える。チャンバの複数の圧力室のそれぞれに対応して複数の送風機等の送風手段を設ける。清浄空気を病室に吹出す吹出し平面の幅寸法を、該吹出し平面に垂直なチャンバの圧力室のフィルタ背面側の奥行寸法の５倍未満とする。また、チャンバは、他に、複数の圧力室の相互間に移動変位可能な流路開閉用部材を備えた構成とする。【選択図】　図１
2004101030.tif 000002
【特許請求の範囲】
【請求項１】
送風手段からの空気をフィルタで濾過し清浄空気として病室内に供給する無菌病室ユニットであって、
上記送風手段から上記フィルタに至る空気流路に、空気圧を増大させるための複数の圧力室が形成されたチャンバを備えたことを特徴とする無菌病室ユニット。
【請求項２】
上記送風手段は複数個設けられ、上記複数の圧力室のそれぞれに１個または複数個が対応する構成である請求項１に記載の無菌病室ユニット。
【請求項３】
上記チャンバは、上記複数の圧力室の相互間に移動変位可能な流路開閉用部材を備え、該流路開閉用部材が開状態のとき、両圧力室が連通され、一方の圧力室からの空気が他方の圧力室に供給される構成である請求項１または請求項２に記載の無菌病室ユニット。
【請求項４】
送風手段からの空気をフィルタで濾過し清浄空気として病室内に供給する無菌病室ユニットであって、
上記送風手段から上記フィルタに至る空気流路に、該フィルタを加圧するチャンバの圧力室として、フィルタを介し清浄空気を病室に吹出す吹出し面の幅寸法が、該吹出し面に垂直なフィルタ背面側の奥行寸法の５倍未満とされたものを備えた構成を特徴とする無菌病室ユニット。
【請求項５】
送風手段からの空気をフィルタで濾過し清浄空気として吹出す無菌病室ユニットを備えた無菌病室であって、
上記無菌病室ユニットが、上記送風手段から上記フィルタに至る空気流路に、空気圧を増大させるための複数の圧力室が形成されたチャンバを有し、該複数の圧力室のそれぞれに１個または複数の送風手段が対応する構成を有し、
上記無菌病室ユニットの上記フィルタから供給される清浄空気が、病室内を上記複数の圧力室毎に異なった風速で流れるようにした構成を特徴とする無菌病室。
【請求項６】
送風手段からの空気をフィルタで濾過し清浄空気として吹出す無菌病室ユニットを備えた無菌病室であって、
上記送風手段から上記フィルタに至る空気流路に、空気圧を増大させるための複数の圧力室が形成されたチャンバを有し、該複数の圧力室のそれぞれに１個または複数の送風手段が対応するように構成された無菌病室ユニットと、
医師が患者を病室外から治療するためのアクセスカーテンと、
該アクセスカーテンに対向する病室壁面または上記無菌病室ユニットに対向する病室壁面に設けられ、病室内の空気を排気する排気手段と、
を備え、上記無菌病室ユニットから供給される清浄空気が病室内で淀みなく流れるようにした構成を特徴とする無菌病室。
【発明の詳細な説明】
【０００１】
【発明の属する技術分野】
本発明は、重症感染症患者、免疫減弱者などの治療に使用する無菌病室ユニットに関する。
【０００２】
【従来の技術】
図６及び図７は、従来の無菌病室ユニットの構成の説明図である。図６、図７において、２は送風機、３は、送風機２からの空気を濾過するＨＥＰＡフィルタ（Ｈｉｇｈ　Ｅｆｆｉｃｉｅｎｃｙ　Ｐａｒｔｉｃｕｌａｔｅ　Ａｉｒ　Ｆｉｌｔｅｒ）、４は、送風機２が吸込む空気を予備的に清浄化するプレフィルタ、５は清浄空気を無菌病室に吹出す清浄空気吹出し面、６ａ、６ｂは吹出し清浄空気流れのベクトル、７は患者用のベッド、８ｘ、８ｙは部屋壁面、９はアクセスカーテン、１０は、ＨＥＰＡフィルタ３を加圧するためのチャンバの圧力室、１１は吸音材、１２は遮音板、１３は吹出し整流板である。図６は、該チャンバの圧力室１０内に遮音板１２を設けない場合の構成例、図７はチャンバの圧力室１０内に遮音板１２を設けた場合の構成例である。遮音板１２は、送風機２の音が無菌病室内へ伝達するのを遮るためのものである。図６、図７いずれの構成も、送風機２からＨＥＰＡフィルタ３に至る部分には、１個の圧力室１０を有するチャンバが設けられ、該１個の圧力室１０によりＨＥＰＡフィルタ３を加圧するようになっている。ベッド７の配された病室を囲む４つの壁面のうち１つは、吹出し整流板１３を配した清浄空気吹出し面５とされ、該清浄空気吹出し面５の背面にはＨＥＰＡフィルタ（Ｈｉｇｈ　Ｅｆｆｉｃｉｅｎｃｙ　Ｐａｒｔｉｃｕｌａｔｅ　Ａｉｒ　Ｆｉｌｔｅｒ）３が配され、該清浄空気吹出し面５の左右は、一方には、医師が患者に手を触れずに治療するためのカーテンであるアクセスカーテン９が設けられ、他方には部屋の壁面（部屋壁面）８ｘが形成されている。送風機２の吸込み口側に設けられたプレフィルタ４では、吸込み空気の粗塵がこれによって除去される。プレフィルタ４によって粗塵を除去された空気が送風機２に吸込まれた後、チャンバの圧力室１０内に吐出され、チャンバの圧力室１０内で圧力を増大され、ＨＥＰＡフィルタ３を加圧するとともに、該ＨＥＰＡフィルタ３で濾過されて清浄化される。清浄化された空気は、吹出し整流板１３を通って無菌病室内に、ベクトル６ａ、６ｂで示される吹出し風速で供給される。無菌病室内においては、この清浄化された空気の中で、重症感染症患者、免疫減弱患者などがアクセスカーテン９を介し医師から治療を受ける。無菌病室ユニットは、従来、ＨＩＶ患者、抗癌剤投与患者、免疫抑制剤投与患者等、特に清浄な周囲雰囲気が必要とされる患者用として利用されている。公報記載の無菌病室ユニットの例としては、例えば特開平３−１０３２５８号公報（特許文献１）に記載されたものがある。
【０００３】
【特許文献１】
特開平３−１０３２５８号公報
【０００４】
【発明が解決しようとする課題】
上記従来技術においては、送風機２をチャンバの１個の圧力室１０に接続し、ＨＥＰＡフィルタ３を加圧することにより無菌病室内に清浄空気を供給した場合、例えば、実測結果によると、図８に示すような吹出し風速の分布となる。図８の結果から、チャンバの圧力室１０に対し空気が流入する上流側と空気が流出する下流側の端部で吹出し風速が最大（風速略０．５ｍ／ｓ）となり、チャンバの圧力室１０内の空気流路の中央部では最小（風速略０．２５ｍ／ｓ）となる。チャンバの圧力室１０の、吹出し面５に対し垂直なＨＥＰＡフィルタ３背面側の奥行寸法（Ｘ方向寸法）が小さいほど、この傾向が顕著に現れる。該奥行寸法を増大させると、上記端部と中央部との吹出し風速の差が小さくなるが、無菌病室の設置スペースの縮小化のためには、該奥行寸法を所定値以下に抑えることが必要である。上記図６、図７の従来構成では、上記吹出し面５の幅寸法（Ｙ方向寸法）が、上記奥行寸法（Ｘ方向寸法）に対し略８倍と大きいために、上記図７のような風速分布特性となり、患者のベッド位置内でも壁面側と病室中央側とでは風速に大きな差が生じ、空気清浄度に差ができる上、病室内でベッド位置とは反対側の壁面８ｘ側でも風速が高く、該位置で空気清浄度が不必要に高くなる。また、例えば、送風機に異常が生じ、回転が停止などした場合には、無菌病室内への清浄空気の供給ができなくなる不都合もある。
本発明の課題点は、かかる従来技術の状況に鑑み、無菌病室ユニットにおいて、（１）チャンバの圧力室の、清浄空気の病室への吹出し面に対し垂直な、フィルタ背面側の奥行寸法を増大させずに、該吹出し面の幅寸法を減らして、吹出し風速の最大値を低減、最小値を増大させた風速分布にして、ベッド位置で所定の空気清浄度を確保するとともに、無菌病室内の騒音を低減できるようにすること、（２）送風機に異常が発生した場合にも、無菌病室へ清浄空気を供給できるようにすること、等である。
本発明の目的は、かかる課題点を解決できる技術の提供にある。
【０００５】
【課題を解決するための手段】
上記課題点を解決するために、本発明では、基本的に、無菌病室ユニットにおいて、複数の圧力室（該当実施例：符号１０ａ、１０ｂ、１０ｃ）が形成されたチャンバを備える。チャンバの複数の圧力室のそれぞれに１個または複数個の送風機等の送風手段（該当実施例：符号２ａ、２ｂ、２ｂ１、２ｂ２、２ｃ）を対応させる。チャンバの圧力室は、フィルタを介し清浄空気を病室に吹出す吹出し面（該当実施例：符号５ａ、５ｂ）の幅寸法が、該吹出し面に垂直なフィルタ背面側の奥行寸法の５倍未満となるようにする。また、チャンバは、他に、複数の圧力室の相互間に移動変位可能な流路開閉用部材（該当実施例：符号１４）を備えた構成とする。具体的には、（１）送風手段からの空気をフィルタで濾過し清浄空気として病室内に供給する無菌病室ユニットとして、送風手段（該当実施例：符号２ａ、２ｂ、２ｂ１、２ｂ２、２ｃ）からフィルタ（該当実施例：符号３ａ、３ａ１、３ａ２、３ｂ、３ｂ１、３ｂ２、３ｂ３、３ｂ４）に至る空気流路に、空気圧を増大させるための複数の圧力室（該当実施例：符号１０ａ、１０ｂ、１０ｃ）が形成されたチャンバを備えた構成とする。（２）上記（１）において、上記送風手段は、上記複数の圧力室のそれぞれに対応して複数個設けられる構成とする。（３）上記（１）または（２）において、上記チャンバを、上記複数の圧力室の相互間に移動変位可能な流路開閉用部材（該当実施例：符号１４）を備え、該部材が開状態のとき、両圧力室が連通され、一方の圧力室からの空気が他方の圧力室に供給される構成とする。（４）無菌病室ユニットとして、送風手段（該当実施例：符号２ａ、２ｂ）からフィルタ（該当実施例：符号３ａ、３ａ１、３ａ２、３ｂ）に至る空気流路に、該フィルタを加圧するためのチャンバとして、該フィルタを介し清浄空気を病室に吹出す吹出し面（該当実施例：符号５ａ、５ｂ）の幅寸法が、該吹出し面に垂直なフィルタ背面側の奥行寸法の５倍未満とされたものを備えた構成とする。また、（５）送風手段からの空気をフィルタで濾過し清浄空気として吹出す無菌病室ユニットを備えた無菌病室として、上記無菌病室ユニットが、送風手段（該当実施例：符号２ａ、２ｂ、２ｂ１、２ｂ２、２ｃ）からフィルタ（該当実施例：符号３ａ、３ａ１、３ａ２、３ｂ、３ｂ１、３ｂ２、３ｂ３、３ｂ４）に至る空気流路に、空気圧を増大させるための複数の圧力室（該当実施例：符号１０ａ、１０ｂ、１０ｃ）が形成されたチャンバを有し、該複数の圧力室のそれぞれに１個または複数の送風手段（該当実施例：符号２ａ、２ｂ、２ｂ１、２ｂ２、２ｃ）が対応する構成を有し、上記無菌病室ユニットの上記フィルタから供給される清浄空気が、病室内を上記複数の圧力室毎に異なった風速で流れるようにした構成とする。（６）同じく無菌病室として、送風手段（該当実施例：符号２ａ、２ｂ）からフィルタ（該当実施例：符号３ａ、３ｂ）に至る空気流路に、空気圧を増大させるための複数の圧力室（該当実施例：符号１０ａ、１０ｂ’）が形成されたチャンバを有し、該複数の圧力室のそれぞれに１個または複数の送風手段が対応するように構成された無菌病室ユニット（該当実施例：符号１）と、医師が患者を病室外から治療するためのアクセスカーテン（該当実施例：符号９）と、該アクセスカーテンに対向する病室壁面（該当実施例：符号８ｘ）または上記無菌病室ユニットに対向する病室壁面（該当実施例：符号８ｙ）に設けられ、病室内の空気を排気する排気手段（該当実施例：符号１５）とを備え、上記無菌病室ユニットから供給される清浄空気が病室内で淀みなく流れるようにした構成とする。
【０００６】
【発明の実施の形態】
以下、本発明の実施例につき、図面を用いて説明する。
図１は、本発明の第１の実施例を示す図である。本実施例は、チャンバの圧力室を、無菌病室ユニットの横方向（Ｙ方向）に２個並べて設けた場合の例である。
図１において、１は無菌病室ユニット、２ａ、２ｂは送風手段としての送風機、３ａ、３ｂはＨＥＰＡフィルタ、４はプレフィルタ、５ａ、５ｂは清浄空気を病室に吹出す清浄空気吹出し面で、５ａはＨＥＰＡフィルタ３ａに対応する清浄空気吹出し面、５ｂはＨＥＰＡフィルタ３ｂに対応する清浄空気吹出し面、６は吹出された清浄空気（吹出し清浄空気）の流れを示すベクトル、７は患者用のベッド、８ｘ、８ｙは部屋壁面、９はアクセスカーテン、１０ａ、１０ｂはチャンバの２個の圧力室で、１０ａは、ＨＥＰＡフィルタ３ａを加圧するための圧力室、１０ｂは、ＨＥＰＡフィルタ３ｂを加圧するための圧力室、１１ａは圧力室１０ａの吸音材、１１ｂは圧力室１０ｂの吸音材、１２は遮音板、１３は吹出し整流板である。無菌病室ユニット１は部屋壁面８ｘと連接して閉空間を形成する。清浄空気吹出し面５ａ、５ｂはともに、吹出し面の幅寸法（Ｙ方向寸法）が、チャンバの圧力室１０ａ、１０ｂの、該吹出し面に垂直な方向のフィルタ背面側の奥行寸法（Ｘ方向寸法）の５倍未満の略４倍またはそれよりも小さい値にされている。遮音板１２は、ベッド７側のチャンバの圧力室１０ｂに設けられ、特に送風機２ｂで発生した騒音を遮断して、ベッド側に伝わる音を低減化する。かかる構成において、プレフィルタ４によって粗塵を除去された空気が送風機２ａ、２ｂに吸込まれる。送風機２ａから吸込まれた空気はその後、チャンバの圧力室１０ａ内に吐出され、圧力室１０ａ内で圧力を高められ、ＨＥＰＡフィルタ３ａを加圧するとともに、該ＨＥＰＡフィルタ３ａで濾過されて清浄化される。清浄化された空気は、清浄空気吹出し面５ａから吹出し整流板１３を介して無菌病室内のベッド７側に供給される。一方、送風機２ｂから吸込まれた空気はその後、チャンバの圧力室１０ｂ内に吐出され、圧力室１０ｂ内で圧力を増大され、ＨＥＰＡフィルタ３ｂを加圧するとともに、該ＨＥＰＡフィルタ３ｂで濾過され清浄化される。清浄化された空気は、清浄空気吹出し面５ｂから、吹出し整流板１３を介し、無菌病室内のベッド７側に供給される。無菌病室内においては、この清浄化された空気の中で、ベッド７上の患者がアクセスカーテン９を介し医師から治療を受ける。清浄空気吹出し面５ａ、５ｂそれぞれから吹出される清浄空気の、無菌病室ユニットの横方向の風速分布は、清浄空気吹出し面５ａ、５ｂそれぞれの横方向の両端部で風速が最大、中央部で最小の分布となり、かつ、該清浄空気吹出し面５ａ、５ｂはともに、吹出し面の幅寸法が、吹出し面の幅寸法（Ｙ方向寸法）が、チャンバの圧力室１０ａ、１０ｂの、該吹出し面に垂直な方向のフィルタ背面側の奥行寸法（Ｘ方向寸法）の５倍未満である略４倍（従来の略８倍の半分）またはそれよりも小さい値にされているため、図６、図７の従来構成の場合に比べ、最大風速値が低く、最小風速値が高くなる。清浄空気により病室内は陽圧に維持され、無菌病室内の清浄度を維持する。清浄空気は、無菌病室内を流動して、アクセスカーテン９側の開口から病室外へ放出される。上記吹出し面の幅寸法（Ｙ方向寸法）は、上記奥行寸法（Ｘ方向寸法）の４倍を越えても５倍未満の範囲であれば、所定範囲の吹出し風速分布が得られる。
【０００７】
上記第１の実施例によれば、無菌病室ユニットの横方向（Ｙ方向）に２個のチャンバの圧力室１０ａ、１０ｂを並べて設けた構成としているため、清浄空気吹出し面５ａ、５ｂそれぞれの横方向（Ｙ方向）の両端部で風速が最大、中央部で最小の風速分布となり、かつ、図６、図７の従来構成の場合に比べ、最大風速値が低く、最小風速値が高くなる。このため、特にベッド７の領域では全体にわたり、平均的な吹出し風速と空気清浄度とを容易に確保できる。送風機２ａ、２ｂの回転数を低減化した状態においても所定の吹出し風速と空気清浄度とを確保でき、送風機の消費電力と回転騒音の低減化も可能となる。また、送風機２ａ、２ｂを、アクセスカーテン９側に配しているため、無菌病室ユニット１のメンテナンスや、患者の治療を一方向から行うことができる。また、無菌病室ユニット１の設置スペースの縮小化も容易である。
【０００８】
図２は本発明の第２の実施例を示す図で、図２（ａ）は無菌病室ユニットを無菌病室側から見た正面図（ＹＺ平面図）、（ｂ）は側面図（ＸＺ平面図）である。本第２の実施例は、チャンバの圧力室を、ベッドに対応した部分とその周辺の部分とに分けて設けた場合の例である。
図２において、１は無菌病室ユニット、２ａ、２ｂ１、２ｂ２は送風手段としての送風機、３ａ１、３ａ２、３ｂ１、３ｂ２、３ｂ３、３ｂ４はＨＥＰＡフィルタ、５ａ、５ｂは清浄空気を病室に吹出す清浄空気吹出し面で、５ａは、ベッドに対応したＨＥＰＡフィルタ３ａ１、３ａ２に対応する清浄空気吹出し面、５ｂは、ＨＥＰＡフィルタ３ｂ１、３ｂ２、３ｂ３、３ｂ４に対応する清浄空気吹出し面、７は患者用のベッド、１０ａ、１０ｂはチャンバの圧力室で、１０ａは、ベッドに対応したＨＥＰＡフィルタ３ａ１、３ａ２を加圧するための圧力室、１０ｂは、ＨＥＰＡフィルタ３ｂ１、３ｂ２、３ｂ３、３ｂ４を加圧するための圧力室、１３は吹出し整流板である。圧力室１０ａに対応する清浄空気吹出し面５ａは、吹出し面の幅寸法（Ｙ方向寸法）が、該吹出し面に垂直なＨＥＰＡフィルタ３ａ１、３ａ２の背面側の該圧力室１０ａの奥行寸法（Ｘ方向寸法）の５倍未満の略４倍とされている。かかる構成において、送風機２ａから吸込まれた空気は、チャンバの圧力室１０ａ内に吐出され、圧力室１０ａ内で圧力を増大され、ＨＥＰＡフィルタ３ａ１、３ａ２を加圧するとともに、該ＨＥＰＡフィルタ３ａ１、３ａ２で濾過され清浄化される。清浄化された空気は、清浄空気吹出し面５ａから、吹出し整流板１３を介して無菌病室内のベッド７に対応する部分に供給される。一方、送風機２ｂ１、２ｂ２から吸込まれた空気は、チャンバの圧力室１０ｂ内に吐出された後、圧力室１０ｂ内で圧力を増大され、ＨＥＰＡフィルタ３ｂ１、３ｂ２、３ｂ３、３ｂ４を加圧するとともに、該ＨＥＰＡフィルタ３ｂ１、３ｂ２、３ｂ３、３ｂ４で濾過されて清浄化され、清浄空気吹出し面５ｂから清浄空気として、吹出し整流板１３を介し無菌病室内に供給される。清浄空気吹出し面５ａから吹出される清浄空気の、無菌病室ユニットの横方向（Ｙ方向）の風速分布は、ＨＥＰＡフィルタ３ａ１、３ａ２のそれぞれの両端部で風速が最大、それぞれの中央部で最小の分布となり、かつ、清浄空気吹出し面５ａは、吹出し面の幅寸法（Ｙ方向寸法）が、該吹出し面に垂直なＨＥＰＡフィルタ３ａ１、３ａ２の背面側の該圧力室１０ａの奥行寸法（Ｘ方向寸法）の５倍未満の略４倍とされているため、図６、図７の従来構成の場合に比べ、最大風速値が低く、最小風速値が高くなる。また、清浄空気吹出し面５ｂから吹出される清浄空気の、無菌病室ユニットの横方向（Ｙ方向）の風速分布は、ＨＥＰＡフィルタ３ｂ１、３ｂ２に対応した部分ではそれぞれの一方の端部で風速が最大、他方の互いに隣り合う端部で最小の分布となり、３ｂ３、３ｂ４に対応した部分ではそれぞれの両端部で風速が最大、中央部で最小の分布となる。特に、３ｂ３、３ｂ４に対応した部分では、清浄空気吹出し面５ｂは、吹出し面の幅寸法（Ｙ方向寸法）が、該吹出し面に垂直なＨＥＰＡフィルタ３ｂ３、３ｂ４の背面側の該圧力室１０ｂの奥行寸法（Ｘ方向寸法）の５倍未満の略４倍とされているため、図６、図７の従来構成の場合に比べて、最大風速値が低く、最小風速値が高くなる。本第２の実施例構成においても、清浄空気により無菌病室内は陽圧とされ、無菌病室内の清浄度が維持される。また、清浄空気は、流動してアクセスカーテン９側の開口部より病室外へ放出される。
【０００９】
上記第２の実施例によれば、無菌病室ユニットのチャンバの圧力室を、ベッド７に対応した部分とその周辺部とに分けて設けた構成としているため、特にベッド７に対応した部分では最大風速値と最小風速値との差が、図６、図７の従来構成の場合よりも縮小された風速分布となる。このため、ベッド７の領域では全体にわたり、所定範囲の平均的な吹出し風速と清浄度とが確保される。送風機２ａ、２ｂ１、２ｂ２の回転数を低減化した状態でも所定の吹出し風速と空気清浄度とを確保でき、送風機の消費電力と回転騒音の低減化も可能となる。
【００１０】
図３は本発明の第３の実施例を示す図である。本第２の実施例は、チャンバの圧力室を、ベッドに対応した部分とその周辺の部分とに分けて２個設け、かつ、両圧力室を、流路開閉用部材により連通状態にできるようにした場合の例である。
図３において、１は無菌病室ユニット、２ａ、２ｂ１、２ｂ２は送風手段としての送風機、３ａ１、３ａ２、３ｂ１、３ｂ２、３ｂ３、３ｂ４はＨＥＰＡフィルタ、５ａ、５ｂは清浄空気を病室に吹出す清浄空気吹出し面で、５ａはベッドに対応したＨＥＰＡフィルタ３ａ１、３ａ２に対応する清浄空気吹出し面、５ｂはＨＥＰＡフィルタ３ｂ１、３ｂ２、３ｂ３、３ｂ４に対応する清浄空気吹出し面、７は患者用のベッド、１０ａ、１０ｂはチャンバの圧力室で、１０ａはベッドに対応したＨＥＰＡフィルタ３ａ１、３ａ２を加圧するための圧力室、１０ｂは、ＨＥＰＡフィルタ３ｂ１、３ｂ２、３ｂ３、３ｂ４を加圧するための圧力室、１３は吹出し整流板、１４は、矢印方向への移動変位で開状態とされたとき、上記チャンバの圧力室１０ａ、１０ｂを連通状態にする流路開閉用部材である。圧力室１０ａに対応する清浄空気吹出し面５ａは、吹出し面の幅寸法（Ｙ方向寸法）が、該吹出し面に垂直なＨＥＰＡフィルタ３ａ１、３ａ２の背面側の該圧力室１０ａの奥行寸法（Ｘ方向寸法）の５倍未満の略４倍とされている。流路開閉用部材１４が閉状態とされた図３の構成において、送風機２ａから吸込まれた空気は、チャンバの圧力室１０ａ内に吐出され、圧力室１０ａ内で圧力を増大され、ＨＥＰＡフィルタ３ａ１、３ａ２を加圧するとともに、該ＨＥＰＡフィルタ３ａ１、３ａ２で濾過され清浄化される。清浄化された空気は、清浄空気吹出し面５ａから清浄空気として、吹出し整流板１３を介して無菌病室内のベッド７に対応する部分に供給される。一方、送風機２ｂ１、２ｂ２から吸込まれた空気は、チャンバの圧力室１０ｂ内に吐出された後、圧力室１０ｂ内で圧力を増大され、ＨＥＰＡフィルタ３ｂ１、３ｂ２、３ｂ３、３ｂ４を加圧するとともに、該ＨＥＰＡフィルタ３ｂ１、３ｂ２、３ｂ３、３ｂ４で濾過されて清浄化され、清浄空気吹出し面５ｂから、吹出し整流板１３を介し無菌病室内に供給される。清浄空気吹出し面５ａから吹出される清浄空気の、無菌病室ユニットの横方向（Ｙ方向）の風速分布は、ＨＥＰＡフィルタ３ａ１、３ａ２のそれぞれの両端部で風速が最大、それぞれの中央部で最小の風速分布となり、かつ、清浄空気吹出し面５ａは、吹出し面の幅寸法（Ｙ方向寸法）が、該吹出し面に垂直なＨＥＰＡフィルタ３ａ１、３ａ２の背面側の該圧力室１０ａの奥行寸法（Ｘ方向寸法）の５倍未満の略４倍とされているため、図６、図７の従来構成の場合に比べて、最大風速値が低く、最小風速値が高くなる。また、清浄空気吹出し面５ｂから吹出される清浄空気の、無菌病室ユニットの横方向（Ｙ方向）の風速分布は、ＨＥＰＡフィルタ３ｂ１、３ｂ２に対応した部分では、それぞれの一方の端部で風速が最大、他方の互いに隣り合う端部では最小の分布となり、特に、３ｂ３、３ｂ４に対応した部分ではそれぞれの両端部で風速が最大、中央部で最小の分布となる。３ｂ３、３ｂ４に対応した部分では、清浄空気吹出し面５ｂは、吹出し面の幅寸法（Ｙ方向寸法）が、該吹出し面に垂直なＨＥＰＡフィルタ３ｂ３、３ｂ４の背面側の該圧力室１０ｂの奥行寸法（Ｘ方向寸法）の５倍未満の略４倍とされているため、図６、図７の従来構成の場合に比べて、最大風速値が低く、最小風速値が高くなる。また、例えば、異常発生時において、送風機２ａが停止したりして正常な送風機能を発揮できない場合には、制御手段により上記流路開閉用部材１４が開状態とされ、圧力室１０ａが圧力室１０ｂに対し連通状態とされ、送風機２ｂ１、２ｂ２からの空気が、圧力室１０ｂを介して圧力室１０ａにも供給される。これによって、清浄空気吹出し面５ａ、５ｂからは所定の風速及び空気清浄度の清浄空気が無菌病室内に吹出される。異常発生により、送風機２ｂ１、２ｂ２側が正常な送風機能を発揮できない場合にも同様で、制御手段により上記流路開閉用部材１４が開状態とされ、圧力室１０ｂが圧力室１０ａに対し連通状態とされ、送風機２ａからの空気が、圧力室１０ａを介して圧力室１０ｂにも供給される。これによって、清浄空気吹出し面５ａ、５ｂからは所定の風速、空気清浄度の清浄空気が無菌病室内に吹出される。本第３の実施例構成においても、清浄空気により無菌病室内は陽圧とされ、該無菌病室内の清浄度が維持される。無菌病室内の清浄空気は流動してアクセスカーテン９側の開口部より病室外へと放出される。
【００１１】
上記第３の実施例によれば、上記第２の実施例と同様、ベッド７の領域では全体にわたり、所定範囲の平均的な吹出し風速と清浄度とを確保できる。送風機２ａ、２ｂ１、２ｂ２の回転数を低減化した状態でも所定の吹出し風速と空気清浄度とを確保でき、送風機の消費電力と回転騒音の低減化も可能となる。さらに、例えば、異常発生により送風機２ａ側または２ｂ１、２ｂ２側が正常な送風機能を発揮できない場合にも、流路開閉用部材１４の移動変位により、正常な送風機能を有する送風機側の空気を、清浄空気吹出し面５ａ、５ｂから所定の風速及び空気清浄度の清浄空気として、異常発生前に継続して無菌病室内に吹出させることができ、無菌病室ユニットとしての所定機能を維持させることができる。このため、異常発生時にも、清浄空気の無菌病室内への供給を停止させることなく、故障部の修理を行うことができる。
【００１２】
図４は本発明の第４の実施例を示す図で、図２（ａ）は無菌病室ユニットを無菌病室側から見た正面図（ＹＺ平面図）、（ｂ）は側面図（ＸＺ平面図）である。本第４の実施例は、チャンバの圧力室を、病室の高さ方向（Ｚ方向）に３つに分けて設けた場合の例である。
図４において、１は無菌病室ユニット、２ａ、２ｂ、２ｃは送風手段としての送風機、３ａ１、３ａ２、３ｂ１、３ｂ２、３ｃ１、３ｃ２はＨＥＰＡフィルタ、５ａ、５ｂ、５ｃは清浄空気を病室に吹出す清浄空気吹出し面で、５ａは、ＨＥＰＡフィルタ３ａ１、３ａ２に対応する清浄空気吹出し面、５ｂは、ＨＥＰＡフィルタ３ｂ１、３ｂ２に対応する清浄空気吹出し面、５ｃは、ＨＥＰＡフィルタ３ｃ１、３ｃ２に対応する清浄空気吹出し面、７は患者用のベッド、１０ａ、１０ｂ、１０ｃはチャンバの圧力室で、１０ａは、ベッド７に対応したＨＥＰＡフィルタ３ａ１、３ａ２を加圧するための圧力室、１０ｂは、ＨＥＰＡフィルタ３ｂ１、３ｂ２を加圧するための圧力室、１０ｃは、ＨＥＰＡフィルタ３ｃ１、３ｃ２を加圧するための圧力室、１３は吹出し整流板である。かかる構成において、送風機２ａから吸込まれた空気は、チャンバの圧力室１０ａ内に吐出され、圧力室１０ａ内で圧力を増大され、ＨＥＰＡフィルタ３ａ１、３ａ２を加圧するとともに、該ＨＥＰＡフィルタ３ａ１、３ａ２で濾過され清浄化される。清浄化された空気は、清浄空気吹出し面５ａから、吹出し整流板１３を介して無菌病室内のベッド７の置かれた床に近い領域に供給される。また、送風機２ｂから吸込まれた空気は、チャンバの圧力室１０ｂ内に吐出された後、圧力室１０ｂ内で圧力を増大され、ＨＥＰＡフィルタ３ｂ１、３ｂ２を加圧するとともに、該ＨＥＰＡフィルタ３ｂ１、３ｂ２で濾過されて清浄化され、清浄空気吹出し面５ｂから、吹出し整流板１３を介し無菌病室内の中央層領域を主体に供給される。さらに、送風機２ｃから吸込まれた空気は、チャンバの圧力室１０ｃ内に吐出された後、圧力室１０ｃ内で圧力を増大され、ＨＥＰＡフィルタ３ｃ１、３ｃ２を加圧するとともに、該ＨＥＰＡフィルタ３ｃ１、３ｃ２で濾過されて清浄化され、清浄空気吹出し面５ｃから、吹出し整流板１３を介し無菌病室内の天井側に近い層領域に供給される。例えば、清浄空気吹出し面５ａ、５ｃから吹出される清浄空気の風速は、送風機２ａ、２ｃそれぞれの回転数を落すことにより低くし、清浄空気吹出し面５ｂから吹出される清浄空気の風速は送風機２ｂの回転数を調整して増大させる。
【００１３】
上記第４の実施例によれば、無菌病室ユニットのチャンバの圧力室を、無菌病室の床に近い側の層領域と、ベッド７上の患者位置に対応した層領域と、天井に近い側の層領域との３つに分けて設け、かつ、それぞれに独立的に回転数を変えられる送風機を設けているため、患者位置では風速と空気清浄度を所定範囲に確保した状態で、床に近い側の層領域と天井に近い側の層領域では、送風機の回転数を低減させて風速を減らすことが可能となる。これによって、送風機の回転騒音と消費電力の低減化が可能となる。
【００１４】
図５は、本発明の第５の実施例を示す図である。本第５の実施例は、上記第１の実施例のようにチャンバの圧力室を無菌病室ユニットの横方向（Ｙ方向）に２個並べて設け、かつ、ベッドまたはアクセスカーテンから離れた側の圧力室が、ベッド側またはアクセスカーテンから近い側の圧力室よりも、ＨＥＰＡフィルタに対する加圧が低くなる構成とし、さらに、壁面の一部に排気手段を設けた場合の例である。
図５において、２ｂ’は、低騒音化等のために、回転数を送風機２ａよりも低くされた、または、サイズを送風機２ａよりも小型にされた送風機、１０ｂ’はベッド７から離れた側のチャンバの圧力室、１５は、ベッド７またはアクセスカーテン９と反対側（対向側）の部屋壁面８ｘ側の空気を排気し、空気の淀みを防止するための排気手段である。他の部分の構成及び作用は上記図１の第１の実施例と同様であり、第１の実施例の場合と同じ符号を付す。かかる構成において、送風機２ｂ’からの空気流量は、送風機２ａからの空気流量よりも少なく、圧力室１０ｂ’でのＨＥＰＡフィルタ３ｂに対する加圧は、圧力室１０ａでのＨＥＰＡフィルタ３ａに対する加圧よりも低い。このため、清浄空気吹出し面５ｂからの清浄空気の吹出し速度は、清浄空気吹出し面５ａからの清浄空気の吹出し速度よりも低くなる。清浄空気吹出し面５ｂから吹出され、ベッド７またはアクセスカーテン９と反対側（対向側）の壁面８ｘ側を流れる空気は、その一部または全部が上記排気手段１５の開口部から容易に外部に排気される。なお、図５では、上記排気手段１５は、壁面８ｘ上に設けたが、これには限定されず、壁面８ｙ上に設けてもよいし、または、壁面８ｘ、８ｙの両方に設けてもよい。いずれの場合も、壁面８ｘ、８ｙが突き当たる角部に限定されない。
【００１５】
上記第５の実施例によれば、上記第１の実施例と同様、ベッド７の部分では全体にわたり、所定範囲の平均的な吹出し風速と清浄度とが確保される。送風機２ａ、２ｂ’の回転数を低減化した状態でも所定の吹出し風速と空気清浄度を確保でき、送風機の消費電力と回転騒音の低減化も可能となる。さらに、清浄空気吹出し面５ｂからの清浄空気の吹出し速度を低くしても、ベッド７またはアクセスカーテン９と反対側（対向側）の壁面８ｘ側において、空気が淀むことなくスムーズに病室内を流れて病室外に排気されるようになる。
【００１６】
【発明の効果】
本発明によれば、無菌病室ユニットにおいて、空気清浄度を確保した状態下での低騒音化が可能となる。異常状態時にも、送風機から無菌病室への清浄空気の正常供給が可能となる。
【図面の簡単な説明】
【図１】本発明の第１の実施例を示す図である。
【図２】本発明の第２の実施例を示す図である。
【図３】本発明の第３の実施例を示す図である。
【図４】本発明の第４の実施例を示す図である。
【図５】本発明の第５の実施例を示す図である。
【図６】従来の無菌病室ユニットの構成例を示す図である。
【図７】従来の無菌病室ユニットの他の構成例を示す図である。
【図８】従来の無菌病室ユニットへ清浄空気の吹出し風速の分布を示す図である。
【符号の説明】
１…無菌病室ユニット、　２、２ａ、２ｂ、２ｂ１、２ｂ２、２ｃ、２ｂ’…送風機、　３、３ａ、３ａ１、３ａ２、３ｂ、３ｂ１、３ｂ２、３ｂ３、３ｂ４、３ｃ１、３ｃ２…ＨＥＰＡフィルタ、　４…プレフィルタ、　５、５ａ、５ｂ、５ｃ…清浄空気吹出し面、　７…ベッド、　８ａ、８ｂ…部屋壁面、　９…アクセスカーテン、　１０、１０ａ、１０ｂ、１０ｂ’、１０ｃ…チャンバの圧力室、　１１…吸音材、　１２…遮音板、　１３…吹出し整流板、　１４…流路開閉用部材、　１５…排気手段。
【図１】
2004101030.tif 000003
【図２】
2004101030.tif 000004
【図３】
2004101030.tif 000005
【図４】
2004101030.tif 000006
【図５】
2004101030.tif 000007
【図６】
2004101030.tif 000008
【図７】
2004101030.tif 000009
【図８】
2004101030.tif 000010